(57)【要約】      （修正有）【課題】低速給湯モードにおいて、給湯ボタンを押下してから液体が吐出されるまでの時間を短縮でき、かつ、ポンプにおいてキャビテーションが発生した場合にも、吐出口まで良好に液体を汲み上げることができる電気湯沸器を提供する。【解決手段】この電気湯沸器の制御部は、ポンプを第１出力で動作させる通常給湯モードと、ポンプを第１出力よりも低い第２出力で動作させる低速給湯モードと、に切り替え可能である。制御部は、低速給湯モードにおいて給湯ボタンが押下されると、まず、ポンプを、第２出力よりも高い初期出力で動作させる（Ｓ３２）。その後、制御部は、吐出口から液体が吐出される前に、ポンプの出力を第２出力へ低下させる（Ｓ３４）。これにより、給湯ボタンを押下してから液体が吐出されるまでの時間を短縮できる。また、ポンプにおいてキャビテーションが発生した場合にも、吐出口まで良好に液体を汲み上げることができる。【選択図】図５
2020116029.tif 000002
【特許請求の範囲】
【請求項１】
液体を内部に貯留する容器と、
前記容器内の液体を加熱するヒータと、
加熱後の液体を吐出する吐出口と、
前記容器の底部と前記吐出口とを繋ぐ吐出管と、
前記容器内の液体を、前記吐出管を介して前記吐出口へ送るポンプと、
給湯の指示を受け付ける給湯ボタンと、
前記ポンプの動作を制御する制御部と、
を備えた電気湯沸器であって、
前記制御部は、
前記ポンプを第１出力で動作させる通常給湯モードと、
前記ポンプを前記第１出力よりも低い第２出力で動作させる低速給湯モードと、
に切り替え可能であり、
前記低速給湯モードでは、
前記給湯ボタンが押下されると、まず、前記ポンプを、前記第２出力よりも高い初期出力で動作させ、その後、前記吐出口から液体が吐出される前に、前記ポンプの出力を前記第２出力へ低下させる、電気湯沸器。
【請求項２】
請求項１に記載の電気湯沸器であって、
前記制御部は、
前記低速給湯モードにおいて、前記ポンプの出力を、前記初期出力から前記第２出力へ、徐々にまたは段階的に低下させる、電気湯沸器。
【請求項３】
請求項１または請求項２に記載の電気湯沸器であって、
前記初期出力は、前記第１出力と同一の出力である、電気湯沸器。
【請求項４】
請求項１から請求項３までのいずれか１項に記載の電気湯沸器であって、
湯沸かし完了後の所定時間内における前記第２出力は、前記所定時間が経過した後の前記第２出力よりも高い、電気湯沸器。
【請求項５】
請求項１から請求項４までのいずれか１項に記載の電気湯沸器であって、
湯沸かし完了後の所定時間内における前記初期出力は、前記所定時間が経過した後の前記初期出力よりも高い、電気湯沸器。
【請求項６】
請求項１から請求項５までのいずれか１項に記載の電気湯沸器であって、
前記ポンプを前記初期出力で動作させる時間は、前記容器内の液体の貯留量が最低量のときに、前記吐出管における液体の汲み上げにかかる時間よりも長く、および／または、前記容器内の液体の貯留量が最高量のときに、前記吐出口まで液体を送るのにかかる時間よりも短い、電気湯沸器。
【発明の詳細な説明】
【技術分野】
【０００１】
本発明は、液体を加熱して、加熱後の液体を吐出口から吐出する電気湯沸器に関する。
【背景技術】
【０００２】
従来、水を加熱し、加熱後の水（熱湯）を吐出口から吐出する電気湯沸器（いわゆる電気ポット）が知られている。電気湯沸器は、内部に設けられたポンプにより、熱湯を汲み上げて、吐出口から吐出させる。ポンプを有する従来の電気湯沸器については、例えば、特許文献１〜３に記載されている。
【先行技術文献】
【特許文献】
【０００３】
【特許文献１】特許第３４９４９８３号公報
【特許文献２】特許第５０７６５７７号公報
【特許文献３】特許第３５４３７８５号公報
【発明の概要】
【発明が解決しようとする課題】
【０００４】
電気湯沸器の中には、通常給湯モードと低速給湯モードとを有するものがある。低速給湯モードでは、ポンプを低出力で動作させることによって、通常給湯モードよりも低速で、吐出口から熱湯を吐出する。このような低速給湯モードは、例えば、ドリップコーヒーの抽出などを行うときに使用される。
【０００５】
しかしながら、従来の低速給湯モードでは、ポンプの出力が低いために、熱湯の汲み上げに時間がかかる。したがって、ユーザが給湯ボタンを押下した後、吐出口から熱湯が吐出されるまでの時間が長い、という問題がある。
【０００６】
また、電気湯沸器内のポンプの内部では、局所的に発生する負圧によって、蒸気の気泡（キャビテーション）が発生する場合がある。ポンプの出力が低いと、このキャビテーションの影響により、熱湯を良好に汲み上げることが困難となる。これにより、吐出口からの熱湯の吐出性能が低下する場合がある、という問題がある。
【０００７】
本発明は、このような事情に鑑みなされたものであり、低速給湯モードにおいて、給湯ボタンを押下してから液体が吐出されるまでの時間を短縮でき、かつ、ポンプにおいてキャビテーションが発生した場合にも、吐出口まで良好に液体を汲み上げることができる電気湯沸器を提供することを目的とする。
【課題を解決するための手段】
【０００８】
本発明の電気湯沸器は、液体を内部に貯留する容器と、前記容器内の液体を加熱するヒータと、加熱後の液体を吐出する吐出口と、前記容器の底部と前記吐出口とを繋ぐ吐出管と、前記容器内の液体を、前記吐出管を介して前記吐出口へ送るポンプと、給湯の指示を受け付ける給湯ボタンと、前記ポンプの動作を制御する制御部と、を備え、前記制御部は、前記ポンプを第１出力で動作させる通常給湯モードと、前記ポンプを前記第１出力よりも低い第２出力で動作させる低速給湯モードと、に切り替え可能であり、前記低速給湯モードでは、前記給湯ボタンが押下されると、まず、前記ポンプを、前記第２出力よりも高い初期出力で動作させ、その後、前記吐出口から液体が吐出される前に、前記ポンプの出力を前記第２出力へ低下させる。
【０００９】
この電気湯沸器では、低速給湯モードにおいて、給湯ボタンを押下してから液体が吐出されるまでの時間を短縮できる。また、ポンプにおいてキャビテーションが発生した場合にも、吐出口まで良好に液体を汲み上げることができる。
【００１０】
特に、前記制御部は、前記低速給湯モードにおいて、前記ポンプの出力を、前記初期出力から前記第２出力へ、徐々にまたは段階的に低下させることが好ましい。これにより、吐出口から吐出される液体の形状が乱れることを抑制できる。また、モータの出力変化に伴うモータ音の変化も緩やかになる。このため、ユーザが知覚する音の違和感を低減できる。
【００１１】
また、前記初期出力は、前記第１出力と同一の出力であることが好ましい。これにより、通常給湯モードの出力である第１出力において、良好に送液されるように設計しておけば、低速給湯モードの給湯ボタン押下直後の初期出力においても、良好に送液を行うことができる。
【００１２】
また、湯沸かし完了後の所定時間内における前記第２出力は、前記所定時間が経過した後の前記第２出力よりも高いことが好ましい。これにより、湯沸かし完了の直後において、キャビテーションによる吐出性能の低下を、より抑制できる。
【００１３】
また、湯沸かし完了後の所定時間内における前記初期出力は、前記所定時間が経過した後の前記初期出力よりも高いことが好ましい。これにより、湯沸かし完了の直後において、キャビテーションによる吐出性能の低下を、より抑制できる。
【００１４】
また、前記ポンプを前記初期出力で動作させる時間は、前記容器内の液体の貯留量が最低量のときに、前記吐出管における液体の汲み上げにかかる時間よりも長く、および／または、前記容器内の液体の貯留量が最高量のときに、前記吐出口まで液体を送るのにかかる時間よりも短いことが好ましい。これにより、容器内の液体の貯留量にかかわらず、液体の汲み上げおよび吐出を、良好に行うことができる。
【発明の効果】
【００１５】
本発明によれば、低速給湯モードにおいて、給湯ボタンを押下してから液体が吐出されるまでの時間を短縮できる。また、ポンプにおいてキャビテーションが発生した場合にも、吐出口まで良好に液体を汲み上げることができる。
【図面の簡単な説明】
【００１６】
【図１】電気湯沸器の側面図である。
【図２】ポット本体および蓋体を省略した電気湯沸器の側面図である。
【図３】操作パネルの上面図である。
【図４】制御部と電気湯沸器内の各部との電気的接続を示したブロック図である。
【図５】電気湯沸器における給湯動作の流れを示したフローチャートである。
【図６】通常給湯モードにおいて、給湯ボタンの押下後にポンプへ供給される電力の経時変化を示したグラフである。
【図７】低速給湯モードにおいて、給湯ボタンの押下後にポンプへ供給される電力の経時変化を示したグラフである。
【図８】図７のグラフの第１の変形例を示した図である。
【図９】図７のグラフの第２の変形例を示した図である。
【発明を実施するための形態】
【００１７】
以下、本発明の実施形態について、図面を参照しつつ説明する。
【００１８】
＜１．電気湯沸器の構成＞
図１は、本発明の一実施形態に係る電気湯沸器１の側面図である。図２は、ポット本体１０および蓋体３０を省略した電気湯沸器１の側面図である。この電気湯沸器１は、液体である水を加熱して、加熱後の水（熱湯）を吐出口１４から吐出する、いわゆる電気ポットである。図１および図２に示すように、本実施形態の電気湯沸器１は、ポット本体１０、内容器２０、蓋体３０、ヒータ４０、吐出管５０、ポンプ６０、操作パネル７０、および制御部８０を備えている。
【００１９】
ポット本体１０は、合成樹脂により形成される筐体である。ポット本体１０は、ポット底部１１と、ポット底部１１の縁から上方へ向けて延びる筒状のポット側壁部１２と、ポット側壁部１２の上端部から前方へ向けて突出するひさし部１３とを有する。内容器２０、ヒータ４０、吐出管５０、ポンプ６０、および制御部８０は、ポット本体１０の内部空間に収容されるとともに、ポット本体１０に直接または間接的に固定される。なお、ポット本体１０には、電気湯沸器１の運搬時にユーザが把持するハンドルが、取り付けられていてもよい。
【００２０】
内容器２０は、水または熱湯を内部に貯留するステンレス製の容器である。内容器２０は、容器底部２１と、容器底部２１の縁から上方へ向けて延びる筒状の容器側壁部２２とを有する。保温性を高めるために、内容器２０の外側に断熱層が設けられていてもよい。また、内容器２０自体が真空二重構造となっていてもよい。容器側壁部２２の内周面には、水または熱湯の貯留量を示す目盛線２３が表示されている。
【００２１】
蓋体３０は、ポット本体１０の後部に設けられたヒンジ１５により、ポット本体１０に対して回動可能に接続されている。蓋体３０は、ポット本体１０の上部を覆う水平姿勢（図１の姿勢）と、ポット本体１０に対して略垂直に起立する起立姿勢との間で、図１中の矢印Ａのように、ヒンジ１５を中心として回動する。蓋体３０が水平姿勢のときには、内容器２０の上部の開口が、蓋体３０によって閉鎖される。蓋体３０が起立姿勢のときには、内容器２０の上部が開放されて、内容器２０内への水の補充が可能となる。
【００２２】
なお、蓋体３０には、ユーザが開閉時に把持するつまみ部３１や、内容器２０内の蒸気を外部へ排出するための蒸気口３２が、設けられている。
【００２３】
ヒータ４０は、内容器２０内の水を加熱および保温するための手段である。ヒータ４０は、内容器２０の容器底部２１の下面に配置されている。ヒータ４０には、例えば、マイカヒータやシーズヒータが用いられる。電気湯沸器１の使用時には、制御部８０からヒータ４０へ電力が供給される。これにより、ヒータ４０が発熱し、内容器２０内の水が加熱されて熱湯となる。なお、常温の水を加熱するためのヒータと、加熱後の熱湯を保温するためのヒータとが、別々に設けられていてもよい。
【００２４】
吐出管５０は、内容器２０の容器底部２１と、ひさし部１３の下面に設けられた吐出口１４とを繋ぐパイプである。吐出管５０は、内容器２０の前方において、容器側壁部２２の外周面に沿って、鉛直上向きに延びる。吐出管５０の内部は、熱湯の吐出時に、内容器２０から吐出口１４まで熱湯を送るための流路となる。
【００２５】
ポンプ６０は、内容器２０内の熱湯を、吐出管５０を介して吐出口１４へ送るための手段である。ポンプ６０は、容器底部２１と吐出管５０との接続部の近傍に設けられている。ポンプ６０は、熱湯を一時的に収容するケーシングと、ケーシング内に配置された羽根と、羽根を回転させるモータとを有する。モータは、制御部８０から供給される電力に応じて羽根を回転させる。これにより、内容器２０内の熱湯が、吐出管５０を介して吐出口１４へ送られ、吐出口１４から熱湯が吐出される。
【００２６】
操作パネル７０は、ひさし部１３の上面に設けられている。図３は、操作パネル７０の上面図である。図３に示すように、操作パネル７０は、液晶表示部７１と、複数のボタンとを有する。液晶表示部７１には、内容器２０内の熱湯の温度などの種々の情報が表示される。複数のボタンには、モード切替ボタン７２と、給湯ボタン７３とが含まれる。モード切替ボタン７２は、給湯モードの切り替え指示を受け付けるためのボタンである。給湯ボタン７３は、給湯動作の指示を受け付けるためのボタンである。
【００２７】
制御部８０は、電気湯沸器１の各部の動作を制御するための手段である。制御部８０は、例えば、マイコンが実装された回路基板により構成される。図４は、制御部８０と電気湯沸器１内の各部との電気的接続を示したブロック図である。図４に示すように、制御部８０は、上述したヒータ４０、ポンプ６０、および操作パネル７０と、電気的に接続されている。制御部８０は、操作パネル７０から供給される指令信号と、予め設定されたプログラムとに基づいて、ヒータ４０およびポンプ６０に電力を供給する。これにより、ヒータ４０およびポンプ６０の動作が制御される。その結果、湯沸かし動作や給湯動作が実行される。
【００２８】
＜２．給湯動作について＞
続いて、電気湯沸器１の給湯動作について説明する。図５は、電気湯沸器１における給湯動作の流れを示したフローチャートである。
【００２９】
この電気湯沸器１の制御部８０は、通常給湯モードと低速給湯モードとの２つのモードに切り替え可能である。通常給湯モードは、ポンプ６０を第１出力で動作させて、吐出口１４から通常量の熱湯を吐出するモードである。低速給湯モードは、ポンプ６０を第１出力よりも低い第２出力で動作させて、吐出口１４から熱湯を低速で吐出するモードである。低速給湯モードは、例えば、ドリップコーヒーの抽出を行うときなどに適している。
【００３０】
制御部８０は、初期状態においては、通常給湯モードに設定されている。ユーザがモード切替ボタン７２を押下しない限り（ステップＳ１：ｎｏ）、制御部８０は、通常給湯モードに維持される（ステップＳ２）。ただし、ユーザがモード切替ボタン７２を押下すると（ステップＳ１：ｙｅｓ）、制御部８０は、通常給湯モードから低速給湯モードに切り替わる（ステップＳ３）。
【００３１】
図６は、通常給湯モードにおいて、給湯ボタン７３の押下後にポンプ６０へ供給される電力の経時変化を示したグラフである。図６の横軸は、給湯ボタン７３押下後の経過時間を示している。図６の縦軸は、ポンプ６０へ供給される電力を示している。
【００３２】
通常給湯モードにおいて給湯ボタン７３が押下されると（ステップＳ２１：ｙｅｓ）、図６に示すように、制御部８０は、ポンプ６０へ、一定の第１電力Ｗ１を供給する。そうすると、ポンプ６０が、一定の第１出力で動作する（ステップＳ２２）。これにより、内容器２０内の熱湯が、吐出管５０へ送られる。そして、吐出口１４から熱湯が吐出される。やがて、給湯ボタン７３の押下が解除されると（ステップＳ２３：ｙｅｓ）、制御部８０は、第１電力Ｗ１の供給を停止して、ポンプ６０を停止させる（ステップＳ２４）。
【００３３】
図７は、低速給湯モードにおいて、給湯ボタン７３の押下後にポンプ６０へ供給される電力の経時変化を示したグラフである。図７の横軸は、給湯ボタン７３押下後の経過時間を示している。図７の縦軸は、ポンプ６０へ供給される電力を示している。
【００３４】
低速給湯モードにおいて給湯ボタン７３が押下されると（ステップＳ３１：ｙｅｓ）、図７に示すように、制御部８０は、まず、一定の初期電力Ｗｓを、ポンプ６０へ供給する。これにより、ポンプ６０を、初期出力で動作させる（ステップＳ３２）。初期電力Ｗｓは、後述する第２電力Ｗ２よりも高い電力とされる。本実施形態では、初期電力Ｗｓを、上述した第１電力Ｗ１と同一の電力とする。ただし、初期電力Ｗｓは、第１電力Ｗ１より高くてもよいし、第１電力Ｗ１より若干低くてもよい。
【００３５】
制御部８０には、初期出力でのポンプ６０の動作時間Ｔｓが、予め設定されている。制御部８０は、給湯ボタン７３の押下後、その動作時間Ｔｓが経過するまで、初期出力でのポンプ６０の動作を継続する（ステップＳ３３：ｎｏ）。これにより、内容器２０内の熱湯が、吐出管５０内の吐出口１４よりも手前の位置まで、汲み上げられる。
【００３６】
給湯ボタン７３の押下後、予め設定された動作時間Ｔｓが経過すると（ステップＳ３３：ｙｅｓ）、制御部８０は、ポンプ６０へ供給する電力を、初期電力Ｗｓから第２電力Ｗ２まで低下させる。これにより、ポンプ６０の出力を、初期出力から、第２出力へ低下させる（ステップＳ３４）。このとき、ポンプ６０へ供給される電力は、連続的または段階的に、徐々に低下される。
【００３７】
その後、制御部８０は、ポンプ６０へ供給する電力を、第２電力Ｗ２に維持する。これにより、ポンプ６０を第２出力で動作させる。その結果、電気湯沸器１の吐出口１４から、通常給湯モードよりも低速で、熱湯が吐出される。やがて、給湯ボタン７３の押下が解除されると（ステップＳ３５：ｙｅｓ）、制御部８０は、ポンプ６０への第２電力Ｗ２の供給を停止する（ステップＳ３６）。
【００３８】
以上のように、この電気湯沸器１では、低速給湯モードにおいて、給湯ボタン７３の押下直後は、第２出力よりも高い初期出力で、ポンプ６０を動作させる。これにより、給湯ボタン７３を押下してから熱湯が吐出されるまでの時間を短縮できる。
【００３９】
また、ポンプ６０のケーシング内においては、羽根の回転に伴う局所的な負圧によって熱湯が気化し、蒸気の気泡（キャビテーション）が発生する場合がある。そして、キャビテーションが発生すると、特に、ポンプ６０の出力が低い場合に、熱湯の汲み上げが困難となる場合がある。しかしながら、この電気湯沸器１では、低速給湯モードにおいて、給湯ボタン７３の押下直後は、第２出力よりも高い初期出力で、ポンプ６０を動作させる。このため、キャビテーションが発生した場合にも、吐出口１４まで良好に熱湯を汲み上げることができる。その結果、低速給湯モードにおける熱湯の吐出不良を抑制できる。
【００４０】
特に、本実施形態の電気湯沸器１では、低速給湯モードにおいて、ポンプ６０の出力を、初期出力から第２出力へ、一気に低下させるのではなく、徐々にまたは段階的に低下させる。このようにすれば、吐出口１４から吐出される熱湯の形状が乱れることを抑制しつつ、ポンプ６０の出力を低下させることができる。また、モータの出力変化に伴うモータ音の変化も緩やかになる。このため、ユーザが知覚する音の違和感を低減できる。
【００４１】
また、本実施形態では、低速給湯モードにおける初期出力を、通常給湯モードにおける第１出力と、同一の出力としている。したがって、通常給湯モードの出力である第１出力において、良好に熱湯の汲み上げができるように設計しておけば、低速給湯モードの給湯ボタン押下直後の初期出力においても、良好に熱湯を汲み上げることができる。これにより、電気湯沸器１の設計が容易となる。
【００４２】
ポンプ６０を初期出力で動作させる動作時間Ｔｓは、短すぎると、吐出管５０における熱湯の汲み上げが、困難となる。一方、ポンプ６０を初期出力で動作させる動作時間Ｔｓが長過ぎると、第２出力よりも高い初期出力のまま、吐出口１４から熱湯が吐出されてしまう。また、ポンプ６０の動作が開始されてから熱湯が吐出されるまでの時間は、内容器２０内の熱湯の貯留量によっても異なる。
【００４３】
このため、初期出力での動作時間Ｔｓは、内容器２０内の熱湯の貯留量が最低量（例えば、容器側壁部２２の内周面の目盛線２３が示す最低量）のときに、吐出管５０における熱湯の汲み上げにかかる時間よりも長く、および／または、内容器２０内の熱湯の貯留量が最高量（例えば、容器側壁部２２の内周面の目盛線２３が示す最高量）のときに、吐出口１４まで熱湯を送るのにかかる時間よりも短くなるように、設定するとよい。このようにすれば、内容器２０内の熱湯の貯留量にかかわらず、熱湯の汲み上げおよび吐出を、良好に行うことができる。
【００４４】
＜３．変形例＞
以上、本発明の一実施形態について説明したが、本発明は上記の実施形態に限定されるものではない。
【００４５】
＜３−１．第１の変形例＞
図８は、図７のグラフの第１の変形例を示した図である。本変形例では、湯沸かし完了後の所定時間ΔＴ内に給湯ボタン７３が押下された場合には、図８（ａ）の電力変化が適用される。一方、湯沸かし完了後、所定時間ΔＴが経過した後に給湯ボタン７３が押下された場合には、図８（ｂ）の電力変化が適用される。図８（ａ）と図８（ｂ）の違いは、第２電力Ｗ２の大きさである。図８（ａ）における第２電力Ｗ２は、図８（ｂ）における第２電力Ｗ２よりも大きい。例えば、図８（ａ）における第２電力Ｗ２は、第１電力Ｗ１の７０％とされ、図８（ｂ）における第２電力Ｗ２は、第１電力Ｗ１の６０％とされる。すなわち、本変形例では、湯沸かし完了後の所定時間ΔＴ内における第２出力は、所定時間ΔＴが経過した後の第２出力よりも高い。所定時間ΔＴは、例えば、１分３０秒程度に設定すればよい。
【００４６】
湯沸かし完了後の所定時間ΔＴ内の熱湯の温度は、１００℃に極めて近い。この状態で、ポンプ６０を動作させると、上述したキャビテーションが特に生じやすい。しかしながら、図８の例では、低速給湯モードにおいて、湯沸かし完了後の所定時間ΔＴ内に給湯ボタン７３が押下された場合に、ポンプ６０を、高めの第２出力で動作させることができる。したがって、キャビテーションによる吐出性能の低下を、より抑制できる。
【００４７】
なお、本変形例では、所定時間ΔＴが経過する前と後とで、第２出力を２段階に変化させているが、時間の経過とともに、第２出力をより多段階に変化させてもよい。
【００４８】
＜３−２．第２の変形例＞
図９は、図７のグラフの第２の変形例を示した図である。本変形例では、湯沸かし完了後の所定時間ΔＴ内に給湯ボタン７３が押下された場合には、図９（ａ）の電力変化が適用される。一方、湯沸かし完了後、所定時間ΔＴが経過した後に給湯ボタン７３が押下された場合には、図９（ｂ）の電力変化が適用される。図９（ａ）と図９（ｂ）の違いは、初期電力Ｗｓおよび第２電力Ｗ２の大きさである。図９（ａ）における初期電力Ｗｓは、図９（ｂ）における初期電力Ｗｓよりも大きい。また、図９（ａ）における第２電力Ｗ２は、図９（ｂ）における第２電力Ｗ２よりも大きい。
【００４９】
すなわち、本変形例では、湯沸かし完了後の所定時間ΔＴ内における初期出力は、所定時間ΔＴが経過した後の初期出力よりも高い。また、湯沸かし完了後の所定時間ΔＴ内における第２出力は、所定時間ΔＴが経過した後の第２出力よりも高い。
【００５０】
このようにすれば、低速給湯モードにおいて、湯沸かし完了後の所定時間ΔＴ内に給湯ボタン７３が押下された場合に、第２出力だけではなく、初期出力も高めとして、ポンプ６０を動作させることができる。したがって、キャビテーションによる吐出性能の低下を、より抑制できる。
【００５１】
なお、本変形例では、所定時間ΔＴが経過する前と後とで、初期出力および第２出力を２段階に変化させているが、時間の経過とともに、初期出力および第２出力を、より多段階に変化させてもよい。
【００５２】
＜３−３．他の変形例＞
上記実施形態の電気湯沸器１は、通常給湯モードと低速給湯モードとの２つの給湯モードを有していた。しかしながら、本発明の電気湯沸器は、さらに他の給湯モードを有していてもよい。
【００５３】
上記の実施形態では、ポンプ６０の出力を、ポンプ６０へ供給する電力により制御していた。この電力は、例えば、電圧値を変化させることにより制御される。ただし、電力は、ＰＷＭ信号のデューティ比を変化させることにより、制御されてもよい。また、上記の実施形態における電力、出力、時間の各値および割合は、あくまで一例である。これらの各値および割合は、電気湯沸器１の形状や大きさ等の条件に応じて、適切に設定すればよい。
【００５４】
また、上記の実施形態では、電気湯沸器１に貯留される液体が水であった。しかしながら、電気湯沸器１に貯留される液体は、お茶などの他の液体であってもよい。
【００５５】
また、電気湯沸器の細部の形状については、本願の各図と相違していてもよい。また、上記の実施形態や変形例に登場した各要素を、矛盾が生じない範囲で、適宜に組み合わせてもよい。
【符号の説明】
【００５６】
１  電気湯沸器
１０  ポット本体
１１  ポット底部
１２  ポット側壁部
１３  ひさし部
１４  吐出口
１５  ヒンジ
２０  内容器
２１  容器底部
２２  容器側壁部
２３  目盛線
３０  蓋体
３１  つまみ部
３２  蒸気口
４０  ヒータ
５０  吐出管
６０  ポンプ
７０  操作パネル
７１  液晶表示部
７２  モード切替ボタン
７３  給湯ボタン
８０  制御部
Ｔｓ  動作時間
Ｗ１  第１電力
Ｗ２  第２電力
Ｗｓ  初期電力
ΔＴ  所定時間
【図１】
2020116029.tif 000003
【図２】
2020116029.tif 000004
【図３】
2020116029.tif 000005
【図４】
2020116029.tif 000006
【図５】
2020116029.tif 000007
【図６】
2020116029.tif 000008
【図７】
2020116029.tif 000009
【図８】
2020116029.tif 000010
【図９】
2020116029.tif 000011